【事件の表示】
　特願２００４−２７２０５３「携帯端末装置、印刷システム及び印刷通信制御方法並びにコンピュータプログラム」拒絶査定不服審判事件〔平成１８年　３月３０日出願公開、特開２００６−　８７００２〕について、次のとおり審決する。
【結　論】
　本件審判の請求は、成り立たない。
【理　由】
第１　手続の経緯 
　本願は、平成１６年９月１７日の出願であって、平成２１年１１月１８日付けで拒絶理由が通知され、平成２２年１月２５日付けで手続補正がされたが、同年２月１２日付けで拒絶査定がなされ、これに対し、同年５月１７日に拒絶査定不服の審判が請求されるとともに、同日付けで手続補正がされたものである。 
 　 
第２　補正却下の決定 
 ［補正却下の決定の結論］ 
 　　平成２２年５月１７日付けの手続補正を却下する。 
 　 
［理由］ 
 １．本願発明と補正後の発明 
　上記手続補正（以下、「本件補正」という。）は補正前の手続補正書の特許請求の範囲の請求項１に記載された 
　 
　「画像データを記憶する記憶手段と、前記画像データを印刷する画像形成装置と接続し、前記画像形成装置との間で可動確認認証を行い、前記画像データを前記記憶手段から読み出して前記画像形成装置に送信する印刷通信手段と、を備えた携帯端末装置において、
　前記印刷通信手段が複数の画像データをまとめて送信する際に、イベントの発生を検出した場合には、前記イベントが検出された際に送信中の一の画像データの送信を完了させ、当該一の画像データに続く他の画像データの送信を中断させるとともに、当該イベントに対応するイベント対応処理を行う制御手段を備えることを特徴とする携帯端末装置。」 
 　 
という発明（以下、「本願発明」という。）を、 
　 
　「画像データを記憶する記憶手段と、前記画像データを印刷する画像形成装置と接続し、前記画像形成装置との間で可動確認認証を行い、前記画像データを前記記憶手段から読み出して前記画像形成装置に送信する印刷通信手段と、を備えた携帯端末装置において、
　前記印刷通信手段が複数の画像データをまとめて送信する際に、着信イベントの発生を検出した場合には、前記着信イベントが検出された際に送信中の一の画像データの送信を完了させ、当該一の画像データに続く他の画像データの送信を中断させるとともに、前記着信イベントに対応するイベント対応処理を行う制御手段を備えることを特徴とする携帯端末装置。」 
　
 という発明（以下、「補正後の発明」という。）に変更することを含むものである。 
　
２．新規事項の有無、補正の目的要件について 
　本件補正は、願書に最初に添付した明細書、特許請求の範囲又は図面に記載した事項の範囲内において、補正前の特許請求の範囲の請求項１に記載された、「イベント」に関し、「着信」を付加して限定して、特許請求の範囲を減縮するものであるから、平成１８年法律第５５号改正附則第３条第１項によりなお従前の例によるとされる同法による改正前の特許法第１７条の２第３項（新規事項）及び特許法第１７条の２第４項第２号（補正の目的）の規定に適合している。 
　
３．独立特許要件について 
　本件補正は特許請求の範囲の減縮を目的とするものであるから、上記補正後の発明が特許出願の際独立して特許を受けることができるものであるのかどうかについて以下に検討する。 
　
（１）補正後の発明 
　上記「１．本願発明と補正後の発明」の項で補正後の発明として認定したとおりである。 
　
（２）引用発明 
Ａ　原審の拒絶理由に引用された特開２００４−２２０４６８号公報（以下、「引用例１」という。）には、図面とともに以下の事項が記載されている。 
　
イ．「【０００１】
【発明の属する技術分野】
本発明は印刷機能付き携帯電話と印刷装置を有線及びまたは無線で接続したシステムであるところの、携帯情報端末、印刷装置、及び情報印刷システムに関する。」（３頁） 
　
ロ．「【００２７】
図１は、本発明の本実施形態に用いる印刷機能付き携帯電話と印刷装置をケーブル接続したシステムの構成を示す模式図である。ここで、１０１は印刷機能付き携帯電話、１０２は印刷装置、１０３は印刷機能付き携帯電話１０１にある画像データの出力紙、１０４は印刷機能付き携帯電話１０１と印刷装置１０２を接続しデータを伝達するためのケーブルである。
【００２８】
図２は、本発明の一実施形態における印刷機能付き携帯電話１０１の要部構成を示すブロック図である。図２に示すように、本実施形態での印刷機能付き携帯電話１０１は、表示手段としての表示部２０７と、記憶手段としての記憶部２１１と、入力手段としてのキー入力部２０６と、処理手段としての制御部２０８と、通話処理手段としての通話処理部２０３と、電気信号を音声に変換するスピーカ２０４と、音声を電気信号に変換するマイク２０５と、印刷データを印刷装置に対して転送する印刷データ転送部２１０と、印刷制御信号および印刷終了時間情報を送受信する印刷制御信号／情報転送部２０９から構成されている。
【００２９】
次に各構成部分について具体的に説明する。
【００３０】
表示部２０７は、制御部２０８からの指示に従ってデータを表示するものである。記憶部２１１は、本装置の特徴部分であり、制御部２０８における処理プログラムやアイコンの表示データを記憶するほか、一般的なメモリダイヤルを登録する一般メモリダイヤル部２１２のほかに、重要な人を登録しておくための重要な人メモリダイヤル部２１３、留守番電話やドライブモードや本実施例の印刷モードなどの各モードに対応した自動応答メッセージを格納しておく音声データ部２１５、印刷可能なデータを展開しておく印刷データ展開部２１４を備えている。キー入力部２０６は、利用者がキー操作を行うものであり、本装置では、印刷データ展開部２１４に展開されている画像やテキストデータの印刷開始を指示する特定のキー操作ができるものである。また、制御部２０８は、キー入力部２０６からの指示に従って、各ブロックの制御を行う他、表示部２０７における表示制御を行ったり、特に本装置の制御部２０８は、キー入力部２０６からの印刷開始指示に従って、記憶部２１１の印刷データ展開部２１４にある印刷データを印刷データ転送部２１０を介して印刷装置３００（図３）に送信を行うものである。通話処理部２０３は、従来と同様に通話に関する信号処理及び制御を行うものであり、スピーカ２０４、マイク２０５も従来と同様の部分である。通話処理部２０３は、アンテナ２０２を介して無線信号の送受信を行って網と交信し、通話や各種サービスの設定及び解除に伴うデータの送受信を行うようになっている。印刷データ転送部２１０は、キー入力部２０６より印刷指示が実行されると、印刷データ展開部２１４にある印刷データを印刷装置３００に対して逐次送信するものである。印刷制御信号／情報転送部２０９は、キー入力部２０６より印刷指示が実行された場合、印刷実行信号、印刷一時停止信号、印刷中止信号、印刷可能信号などの印刷制御信号および印刷終了時間情報要求信号の転送を行い、およびまた図３に示す印刷装置３００から印刷終了時間算出部３０２より情報転送部３０１を介して転送される印刷終了時間情報を転送する。」（５〜６頁）
　
ハ．「【００３２】
図３は、本発明の一実施形態における印刷装置３００（１０２）の要部構成を示すブロック図である。図３に示すように、本実施形態での印刷装置３００は、印刷データ受信のための入力ポート３０７、受信した印刷データを一時蓄えておく受信バッファメモリ３０８、印刷処理実行部３０９を有し、さらに印刷全データ量情報読込み部３０３と印刷済データ量算出部３０４から構成される印刷終了時間算出部３０２、印刷処理実行部３０９からのエラー信号を検知するエラー検出部３０６および、印刷終了時間情報、印刷エラーなどの情報を伝達する情報転送部３０１、および各機能を制御する制御部３０５を備えている。」（６頁）
　
ニ．「【００３６】
以上のように構成された印刷機能付き携帯電話１０１と印刷装置３００を接続したシステムについて、以下図４のフローチャートと図２および図３のブロック図を用いて動作を説明する。
【００３７】
印刷機能付き携帯電話１０１の画像やテキストデータが印刷データ展開部２１４に展開されている時（Ｓ４０１）、ステップＳ４０２において印刷データ展開部２１４に展開された画像やテキストデータを印刷しない場合は、通常の携帯電話の基本的な操作による処理（Ｓ４０３）を行う。ステップＳ４０２において印刷データ展開部２１４に展開された画像やテキストデータを印刷する場合、印刷機能付き携帯電話１０１のキー入力部２０６により印刷開始の指示（Ｓ４０４）を行い、印刷モードが動作（Ｓ４０５）する（以降、印刷終了まで印刷モードとなる）。なお、同時に印刷機能付き携帯電話１０１は、印刷装置３００に対して印刷実行信号を送信し、印刷実行信号を受信した印刷装置３００は印刷可能状態となり、印刷機能付き携帯電話１０１に対して印刷可能信号を返信する。印刷機能付き携帯電話１０１は、印刷可能信号を受信すると、印刷装置３００に対して印刷する全データ量情報を送信し、印刷装置３００の受信バッファメモリ３０８の容量に応じた印刷データを逐次送信し始め（Ｓ４０６）、さらに印刷処理実行部３０９へ印刷データが転送される。印刷処理実行部３０９では、はじめに受信バッファメモリ３０８内に蓄積された印刷データを逐次読み込むデータ読込み部３１０、次に読み込んだ印刷データを解析し、入力された印刷データを処理しやすいデータ形態に変換するデータ解析・変換部３１１、次にデータ解析・変換部３１１によって変換されたデータを印刷イメージデータに展開するデータ展開部３１２、最後に展開された印刷イメージデータに基づいて印刷処理を行う印刷処理部３１３に印刷データが流れ印刷が行われる。同時に印刷処理時間算出部３０２では、受信バッファメモリ３０８が印刷処理実行部３０９に転送した印刷データ量情報を逐次読込み、印刷済データ量算出部３０４において印刷済のデータ量を算出する。
【００３８】
ステップＳ４０７において、印刷モード中に着信がない場合、印刷機能付き携帯電話１０１は印刷処理が終わるまで印刷処理実行部３０９に印刷データを逐次送信し、印刷データが無くなり次第、直ちに印刷モードを解除する（ステップＳ４１４）。
【００３９】
ステップＳ４０７において、印刷モード中に着信があった場合、ステップＳ４０８へ進み、電話をかけてきた相手が、印刷機能付き携帯電話１０１の重要な人メモリダイヤル部２１３に登録してある電話番号であるかどうか識別する（Ｓ４０８）。
【００４０】
ステップＳ４０８において、電話をかけてきた相手が重要な人メモリダイヤル部２１３に登録してないか、およびまたは電話をかけてきた相手の電話番号が非通知である場合、印刷機能付き携帯電話１０１の印刷制御信号／情報転送部２０９より、印刷終了時間情報要求信号を印刷装置３００に対して送信し、印刷装置３００の印刷終了時間算出部３０２より情報転送部３０１を介して、印刷終了時間情報を得る。印刷終了時間情報は直ちに音声データに変換され、あらかじめ音声データ部２１５に登録してある現在印刷中で応対することができないことを伝える応答メッセージと印刷終了時間情報が相手に伝えられ、印刷処理は継続される。なお、印刷機能付き携帯電話１０１の表示部２０７には、印刷中に着信があったことを知らせるため、着信時刻、相手の電話番号（非通知の場合は非表示）が表示される（Ｓ４０９）。
【００４１】
ステップＳ４０８において、電話をかけてきた相手が重要な人メモリダイヤル部２１３に登録してあると判断された場合、印刷制御信号／情報転送部２０９より印刷一時停止信号を送信し、印刷データの転送を一時停止し、印刷処理を一旦停止する（Ｓ４１０）。直ちに、印刷機能付き携帯電話１０１は通話可能状態に切り替わり（Ｓ４１１）、緊急時、重要件への即時対応を可能にする。通話終了後、一度停止した印刷処理を再び続行させるか、または印刷を終了し排紙するかの選択をする（Ｓ４１２）。一度停止した印刷処理を再び続行させることを選択した場合、再び印刷データの送信を開始し印刷処理を行う。ステップＳ４１２において印刷中止を選択した場合、印刷機能付き携帯電話１０１は印刷モードを直ちに解除し、同時に印刷中止信号を印刷装置３００に対して送信し、直ちに印刷処理を中止する。」（７〜８頁）
　
　上記引用例１の記載及び図面並びにこの分野における技術常識を考慮すると、上記摘記事項ロ．の【００２７】〜【００３０】の記載、図１乃至図３によれば、印刷機能付き携帯電話（１０１）は、印刷データを記憶する記憶部（２１１）と、印刷装置（３００）と接続し、印刷データを記憶部（２１１）から読み出して印刷装置（３００）に送信する制御部（２０８）及び印刷データ転送部（２１０）と、を備えている。ここで、印刷装置（３００）は、印刷データを印刷するものである。
　また、上記摘記事項ニ．の【００３９】における「ステップＳ４０７において、印刷モード中に着信があった場合、ステップＳ４０８へ進み、電話をかけてきた相手が、印刷機能付き携帯電話１０１の重要な人メモリダイヤル部２１３に登録してある電話番号であるかどうか識別する（Ｓ４０８）。」との記載、ニ．の【００４１】における「ステップＳ４０８において、電話をかけてきた相手が重要な人メモリダイヤル部２１３に登録してあると判断された場合、印刷制御信号／情報転送部２０９より印刷一時停止信号を送信し、印刷データの転送を一時停止し、印刷処理を一旦停止する（Ｓ４１０）。直ちに、印刷機能付き携帯電話１０１は通話可能状態に切り替わり（Ｓ４１１）、緊急時、重要件への即時対応を可能にする。」との記載、及び図４によれば、印刷機能付き携帯電話（１０１）の処理手段としての制御部（２０８）は、印刷モード中に、着信の発生を検出し、かつ、重要な人メモリダイヤル部（２１３）に登録してある場合には、印刷データの転送を一時停止させる（Ｓ４１０）とともに、通話可能状態に切り替える（Ｓ４１１）ことが読み取れる。ここで、通話可能状態に切り替えることは、前述の着信に対する対応処理ということができる。
　
　したがって、上記引用例１には、以下の発明（以下、「引用発明１」という。）が開示されている。
　
　「印刷データを記憶する記憶部（２１１）と、前記印刷データを印刷する印刷装置（３００）と接続し、前記印刷データを前記記憶部（２１１）から読み出して前記印刷装置（３００）に送信する制御部（２０８）及び印刷データ転送部（２１０）と、を備えた印刷機能付き携帯電話（１０１）において、
　印刷モード中に、着信の発生を検出し、かつ、重要な人メモリダイヤル部（２１３）に登録してある場合には、印刷データの転送を一時停止させるとともに、前記着信に対する対応処理を行う制御部（２０８）を備える印刷機能付き携帯電話（１０１）。」
　
Ｂ　原審の拒絶理由に引用された特開２００４−８６６６３号公報（以下、「引用例２」という。）には、図面とともに以下の事項が記載されている。 
　
ホ．「【０００１】
【発明の属する技術分野】
本発明は、例えば、ディジタルカメラ等の画像データ供給装置からプリンタが画像ファイルを取得して印刷を行う印刷システムに関する。」（３頁） 
　
ヘ．「【００３０】
まず、図１〜図６に基づいて、本発明の第１の実施の形態を説明する。図１は、本実施の形態に係る印刷システムの全体概要を示すブロック図である。
【００３１】
ディジタルカメラ（以下、「カメラ」と略記）１０は、画像を撮影して電子データとして保持し、保持した画像データをパーソナルコンピュータを介することなくプリンタ２０に直接送信して印刷させることができるようになっている。カメラ１０は、ＤＰＯＦ（Ｄｉｇｉｔａｌ　Ｐｒｉｎｔ　Ｏｒｄｅｒ　Ｆｏｒｍａｔ）規格に対応している。ＤＰＯＦでは、ユーザが選択した画像を特定する情報、印刷枚数、印刷方法等の印刷指定情報をテキストベースのファイル（ＤＰＯＦスクリプトファイル）に保存し、この印刷指定情報をユーザの所有するＤＰＯＦ対応プリンタやラボのプリンタに送信することにより、パーソナルコンピュータを介さずに自動印刷が行えるように規定されている。
【００３２】
カメラ１０は、撮像部１１，記録媒体１２，制御部１３，ユーザインターフェース１４，ＵＳＢデバイスコントローラ１５，記憶部１６を備えている。撮像部１１は、例えば、ＣＣＤ（Ｃｈａｒｇｅ−Ｃｏｕｐｌｅｄ　Ｄｅｖｉｃｅ）素子やレンズ及び前処理回路等からなり、被写体の画像を電子化して出力するようになっている。
【００３３】
記録媒体１２は、例えば、ＰＣカードやメモリ等の書換可能な記録媒体であって、カメラ１０のカードスロットに着脱可能に取り付けられている。記録媒体１２には、ユーザが撮影した画像ファイルＤ１と、印刷を指定するためのＤＰＯＦスクリプトファイルＤ２とが記録されている。
【００３４】
制御部１３は、ＣＰＵやＲＡＭ、ＲＯＭ等からなるマイクロコンピュータシステムとして構成されており、種々のプログラムを実行する。ユーザインターフェース１４は、例えば、液晶ディスプレイや操作スイッチ類等からなり、撮影した画像や操作メニュー及び後述の印刷進捗状況を表示し、また、ユーザからの指示等を受け付ける。ＵＳＢデバイスコントローラ１５は、プリンタ２０とＵＳＢケーブルを介してデータ転送を行うためのものである。
【００３５】
このように、カメラ１０とプリンタ２０とはＵＳＢケーブルを介して接続されており、カメラ１０から画像ファイルＤ１，ＤＰＯＦスクリプトファイルＤ２がプリンタ２０に送信されることにより、印刷が行われるようになっている。」（６〜７頁）
　
ト．「【００３９】
次に、図２を参照して、ＤＰＯＦ印刷の指定及びＤＰＯＦスクリプトファイルＤ２の生成について説明する。
【００４０】
図２（ａ）は、カメラ１０のユーザインターフェース１４に表示された画面例であり、記録媒体１２に格納されている各画像ファイルが縮小されて一覧形式で表示されている。ＤＰＯＦ印刷を行う場合、ユーザは、どの画像ファイルを印刷するかを選択すると共に、どの画像ファイルを何枚印刷するか、どのように印刷するか等を指定する。図２（ａ）では、印刷が選択された画像ファイルに黒い四角形のマークを表示させている。また、印刷の種類としては、スタンダード印刷（ＳＴＤ）とインデックス印刷（ＩＤＸ）とが指定されている。印刷種類の横に並ぶ数値は印刷枚数を示す。
【００４１】
ユーザがＤＰＯＦ印刷の指定を完了すると、図２（ｂ）に示すように、ＤＰＯＦスクリプトファイルが生成される。ＤＰＯＦスクリプトファイルは、ヘッダ部Ｄ２１とジョブ記述部Ｄ２２とに大別される。ヘッダ部Ｄ２１には、対応するＤＰＯＦバージョン番号、カメラ１０の機種名、ＤＰＯＦスクリプトファイルの作成年月日のほか、ユーザ名やユーザ住所及び電話番号のユーザ情報が含まれている。ジョブ記述部Ｄ２２には、例えば、プリントプロダクトＩＤ、プリント種類（スタンダード印刷かインデックス印刷か等）、プリント部数、ファイルフォーマット、画像ファイルへのパス情報、印刷設定情報（日付を入れるか、回転させるか等）等が含まれている。」（８頁）
　
チ．「【００５６】
次に、図５は、プリンタ２０側で実行される印刷処理を示す。カメラ１０及びプリンタ２
０に電源が入っている状態で両者がＵＳＢケーブルにより接続されると、カメラ１０とプリンタ２０との間で通信接続が確立される（Ｓ１１）。そして、プリンタ２０は、カメラ１０のＵＳＢデバイスコントローラ１５から、そのＵＳＢデバイスとしての構成を記述した「デバイスディスクリプタ」を取得する。
【００５７】
次に、プリンタ２０は、リクエスト問合せコマンドに対する応答の形で、または、記録媒体１２の所定領域を検査することにより、印刷要求を記述したＤＰＯＦスクリプトファイルをカメラ１０から取得する（Ｓ１２）。
【００５８】
そして、ＤＰＯＦスクリプトファイルを解釈して印刷レイアウトを設定し（Ｓ１３）、印刷を指示された画像ファイルをカメラ１０の記録媒体１２から取得する（Ｓ１４）。プリンタ２０は、印刷開始前に、最初のページに印刷される印刷領域のサイズ、特に、垂直方向の終端位置を算出する（Ｓ１５）。
【００５９】
そして、プリンタ２０のレンダリング部３２は、例えば、ＪＰＥＧ形式等で圧縮された画像ファイルを復元し（Ｓ１６）、復元した画像データに対し色変換処理（Ｓ１７）、ハーフトーン処理（Ｓ１８）、Ｍ／Ｗ処理（Ｓ１９）等を行って、印刷用イメージデータを生成する。生成された印刷用イメージデータは、印刷部２１に入力されて印刷される（Ｓ２０）。
【００６０】
一方、上記レンダリング処理と平行して、レンダリング部３２で処理されているバンドの位置はモニタされており、処理中のバンド位置と予め算出されている印刷領域の垂直方向の長さとに基づいて、そのページ内での印刷進捗状況が検出され、カメラ１０に通知される（Ｓ２１）。そのページの印刷が終了するまで（Ｓ２２）、Ｓ１７〜Ｓ２１の処理が繰り返される。
【００６１】
そして、１ページの印刷が終了すると（Ｓ２２：ＹＥＳ）、印刷ジョブ全体における印刷進捗状況がページ単位で検出され、カメラ１０に通知される（Ｓ２３）。そして、全てのページの印刷が完了するまで（Ｓ２４）、上述したＳ１２〜Ｓ２３の各処理が繰り返される。従って、全てのページの印刷が完了するまで、各ページ内の印刷進捗状況とジョブ内における印刷進捗状況とがカメラ１０に通知されて表示される。
【００６２】
次に、図６は、プリンタ２０で実行される印刷中断処理を示す。カメラ１０から印刷中断コマンドを受信すると（Ｓ３１：ＹＥＳ）、現在印刷中のページの印刷が終了するまで待機し（Ｓ３２）、ページの印刷が終了した後で、後続の印刷を中止し、印刷ジョブを取り消す（Ｓ３３，Ｓ３４）。なお、後述の実施形態のように、印刷中断コマンドを受信した時点で直ちに印刷を中断することもできる。」（９〜１０頁）
　
　上記引用例２の記載及び図面並びにこの分野における技術常識を考慮すると、上記摘記事項ホ．、ト．の記載、及び図２（ａ），（ｂ）によれば、印刷システムは、ＤＰＯＦスクリプトファイルにより、複数の画像ファイルをまとめて選択して印刷するものである。
　また、上記摘記事項チ．の【００５８】における「印刷を指示された画像ファイルをカメラ１０の記録媒体１２から取得する（Ｓ１４）。」との記載、チ．の【００６１】における「１ページの印刷が終了すると（Ｓ２２：ＹＥＳ）、印刷ジョブ全体における印刷進捗状況がページ単位で検出され、カメラ１０に通知される（Ｓ２３）。そして、全てのページの印刷が完了するまで（Ｓ２４）、上述したＳ１２〜Ｓ２３の各処理が繰り返される。」との記載、チ．の【００６２】における「図６は、プリンタ２０で実行される印刷中断処理を示す。カメラ１０から印刷中断コマンドを受信すると（Ｓ３１：ＹＥＳ）、現在印刷中のページの印刷が終了するまで待機し（Ｓ３２）」との記載、及び図６によれば、印刷システムは、印刷中断コマンドを受信した場合には、現在印刷中の１ページの印刷終了の判断を行っている。そして、図５のフローチャートを参照すれば、ステップ（Ｓ１４）で画像ファイルをすでに取得していることは明らかであり、また、１ページには、少なくとも一の画像ファイルが含まれているから、一の画像ファイルの取得を完了させていることが読み取れる。
　また、上記摘記事項チ．の【００６２】における「現在印刷中のページの印刷が終了するまで待機し（Ｓ３２）、ページの印刷が終了した後で、後続の印刷を中止し、印刷ジョブを取り消す（Ｓ３３，Ｓ３４）。」との記載、及び図６によれば、印刷システムは、現在印刷中のページの印刷が終了した後で、後続の印刷を中止し、印刷ジョブを取り消している。すなわち、図５のフローチャートを参照すれば、前述の一の画像ファイルに続く他の画像ファイルの取得を中断していることが読み取れる。
　また、前述の印刷中断コマンドを受信することは、ユーザによる印刷中止（特定の現象）が発生したときに発生するコマンド（信号）（すなわち、イベント）を受信（検出）することであるから、イベントの発生を検出するということができる。
　 
　したがって、上記引用例２には、以下の発明（以下、「引用発明２」という。）が開示されている。 
 　 
　「複数の画像ファイルをまとめて取得する際に、イベントの発生を検出した場合には、前記イベントが検出された際に一の画像ファイルの取得を完了させ、当該一の画像ファイルに続く他の画像ファイルの取得を中断させる印刷システム。」
　 
（３）対比・判断 
　補正後の発明と引用発明１とを対比する。 
ａ．引用発明１の「印刷データ」と、補正後の発明の「画像データ」とは、いずれも、「データ」という点で一致する。
ｂ．引用発明１の「記憶部（２１１）」、「印刷装置（３００）」、及び「制御部（２０８）及び印刷データ転送部（２１０）」は、補正後の発明の「記憶手段」、「画像形成装置」、及び「印刷通信手段」にそれぞれ相当する。
ｃ．引用発明１の「着信」は、着信という現象が発生したこと（イベント）を意味するから、「着信イベント」ということができる。
ｄ．引用発明１の「印刷モード中に、着信の発生を検出し、かつ、重要な人メモリダイヤル部（２１３）に登録してある場合」と、補正後の発明の「前記印刷通信手段が複数の画像データをまとめて送信する際に、着信イベントの発生を検出した場合」とは、上記ｃ．の対比を考慮すると、いずれも、「着信イベントの発生を検出した特定の場合」という点で一致する。
ｅ．引用発明１の「印刷データの転送を一時停止させるとともに、前記着信に対する対応処理を行う制御部（２０８）」と、補正後の発明の「前記着信イベントが検出された際に送信中の一の画像データの送信を完了させ、当該一の画像データに続く他の画像データの送信を中断させるとともに、前記着信イベントに対応するイベント対応処理を行う制御手段」は、上記ａ．及びｃ．の対比を考慮し、また、「一時停止」は、「中断」ということができるから、いずれも、「データの処理を中断させるとともに、着信イベントに対応するイベント対応処理を行う制御手段」という点で一致する。
ｆ．引用発明１の「印刷機能付き携帯電話（１０１）」は、「携帯端末装置」の一種である。
　
 　したがって、補正後の発明と引用発明１は、以下の点で一致ないし相違している。 
 　 
（一致点） 
　「データを記憶する記憶手段と、前記データを印刷する画像形成装置と接続し、前記データを前記記憶手段から読み出して前記画像形成装置に送信する印刷通信手段と、を備えた携帯端末装置において、
　着信イベントの発生を検出した特定の場合には、データの処理を中断させるとともに、前記着信イベントに対応するイベント対応処理を行う制御手段を備える携帯端末装置。」 
　
（相違点１）
　「データ」に関し、
　補正後の発明は、「画像データ」であるのに対し、引用発明１は、「印刷データ」である点。
　
（相違点２）
　「印刷通信手段」に関し、
　補正後の発明は、「前記画像形成装置との間で可動確認認証を行う」のに対し、引用発明１は、その様な構成を備えていない点。
　
（相違点３）
　「着信イベントの発生を検出した特定の場合」に関し、 
　補正後の発明は、「前記印刷通信手段が複数の画像データをまとめて送信する際に、着信イベントの発生を検出した場合」であるのに対し、引用発明１は、「印刷モード中に、着信の発生を検出し、かつ、重要な人メモリダイヤル部（２１３）に登録してある場合」である点。
　
（相違点４） 
　「データの処理を中断させるとともに、前記着信イベントに対応するイベント対応処理を行う制御手段」に関し、
　補正後の発明は、「前記着信イベントが検出された際に送信中の一の画像データの送信を完了させ、当該一の画像データに続く他の画像データの送信を中断させるとともに、前記着信イベントに対応するイベント対応処理を行う制御手段」であるのに対し、引用発明１は、「印刷データの転送を一時停止させるとともに、前記着信に対する対応処理を行う制御部（２０８）」である点。
　
　そこで、まず、上記相違点１について検討する。 
　引用発明１は、「印刷データ」であるところ、上記引用例１の上記摘記事項ロ．の【００３０】における「記憶部２１１は、・・・印刷データ展開部２１４に展開されている画像やテキストデータの印刷開始を指示する特定のキー操作ができるものである。」との記載によれば、記憶部（２１１）（記憶手段）は、印刷データとして、画像を含むから、引用発明１の「印刷データ」を、補正後の発明のように「画像データ」と称することができることは当然である。
　
　次に、上記相違点２について検討する。
　携帯端末装置において、画像形成装置との間で可動確認認証を行うことは、例えば、原審の拒絶理由に引用された特開２００４−１５２３４号公報（段落５９〜７５、図１４、２５）、特開２００４−９３８８号公報（段落５９〜７５、図１４、２５）に開示されるように周知であるから、補正後の発明のように「前記画像形成装置との間で可動確認認証を行う」ことは当業者が容易に成し得ることである。
　
　次に、上記相違点３及び４について検討する。
　引用発明２の「画像ファイル」は、補正後の発明の「画像データ」に相当し、また、引用発明２の「取得」は、上記引用例２の上記摘記事項ヘ．の【００３４】における「ＵＳＢデバイスコントローラ１５は、プリンタ２０とＵＳＢケーブルを介してデータ転送を行うためのものである。」との記載、ヘ．の【００３５】における「カメラ１０から画像ファイルＤ１・・・がプリンタ２０に送信されることにより、印刷が行われるようになっている。」との記載によれば、カメラ（１０）からみれば、「ＵＳＢデバイスコントローラ（１５）」が、「画像ファイル」（画像データ）を「送信」するということができ、引用発明１に引用発明２を採用することに特段の阻害要因は見あたらないから、補正後の発明のように「前記印刷通信手段が複数の画像データをまとめて送信する際に、着信イベントの発生を検出した場合」（相違点３）には、「前記着信イベントが検出された際に送信中の一の画像データの送信を完了させ、当該一の画像データに続く他の画像データの送信を中断させるとともに、前記着信イベントに対応するイベント対応処理を行う制御手段」とする（相違点４）ことは当業者が容易に成し得ることである。
　
　そして、補正後の発明の作用効果も、引用発明１、２及び周知技術から当業者が容易に予測できる範囲のものである。 
 　 
　以上のとおり、補正後の発明は引用発明１、２及び周知技術に基づいて容易に発明できたものであるから、特許法第２９条第２項の規定により、特許出願の際独立して特許を受けることができないものである。 
 　 
４．結語 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
 　 
第３　本願発明について 
１．本願発明 
　平成２２年５月１７日付けの手続補正は上記のとおり却下されたので、本願発明は、上記「第２　補正却下の決定　１．本願発明と補正後の発明」の項で「本願発明」として認定したとおりである。 
　 
２．引用発明 
　引用発明は、上記「第２　補正却下の決定」の項中の「３．独立特許要件について」の項中の「（２）引用発明」の項で認定したとおりである。 
 　 
３．対比・判断 
　本願発明は上記補正後の発明から当該本件補正に係る限定を省いたものである。 
　そうすると、本願発明の構成に当該本件補正に係る限定を付加した補正後の発明が、上記「第２　補正却下の決定」の項中の「３．独立特許要件について」の項で検討したとおり、引用発明１、２及び周知技術に基づいて容易に発明できたものであるから、本願発明も同様の理由により、容易に発明できたものである。 
　 
４．むすび 
　以上のとおり、本願発明は、引用発明１、２及び周知技術に基づいて当業者が容易に発明をすることができたものと認められるから、特許法第２９条第２項の規定により特許を受けることができない。 
 　 
　よって、結論のとおり審決する